(57)【要約】【課題】擁壁用コンクリートブロックについては、積み上げ時の安定と構築後の環境緑化が問題とされてきたが、緑化を維持するためにブロック内に適切な水分量を保持する必要があり、水分量が少なければ植栽物は枯渇し、多ければ根腐されを生じる問題があった。【解決手段】ブロックの積み上げ底面に切れ込み凹陥部４を設け、同底面を基礎地盤に対して水平に構成したブロックの中央部に上面から底面に貫通する中空部２を設け、その左右両側に水抜き構造を備えた植生ポケット３を形成するように構成した。【選択図】図１
2017106233.tif 000002
【特許請求の範囲】
【請求項１】
積み上げ面に底面に切れ込み凹陥部を設け、同底面を基礎地盤に対して水平に構成したブロックの中央部に上面から底面に貫通する中空部を設け、その左右両側に植栽土を充填する植生ポケットを形成すると共に、ブロックの両側に隣接ブロックの凹陥形状と接合して合成間詰めスペースを形成する凹陥形状を形成したことを特徴とする擁壁用コンクリートブロック。
【請求項２】
植生ポケットの植栽土充填開口部のブロック表面側端縁部を、前表面からポケット内に向けて傾斜する傾斜面として構成した請求項１記載の擁壁用コンクリートブロック。
【請求項３】
ブロック前面を、石垣面等を模した化粧面とし、石垣の目地を雨水等の誘導溝に構成し、ブロック底面の切れ込み凹陥部によって形成される空隙スペースの開口上端部に通じるように構成した請求項１又は請求項２記載の擁壁用コンクリートブロック。
【請求項４】
雨水等の誘導溝に構成した石垣の目地を、ブロック底部の切れ込み凹陥部に対して下降し、同凹陥部の開口上端部に集中されるようにブロック前面の石垣面を形成するように構成した請求項３記載の擁壁用コンクリートブロック。
【請求項５】
ブロック底部切れ込み凹陥部の雨水等誘導溝が交合する表面側上縁を、内側に凹陥傾斜する縁取り傾斜面とした請求項１又は請求項２又は請求項３記載の擁壁用コンクリートブロック。
【請求項６】
植生ポケットの植栽土充填スペース内の適宜位置にブロック本体の背面、若しくは前面、或いはその双方に開口する水抜き孔を設定するように構成した請求項１又は請求項２又は請求項３又は請求項５記載の擁壁用コンクリートブロック。
【発明の詳細な説明】
【技術分野】
【０００１】
本発明は、河川の護岸壁、道路擁壁等の段差部や傾斜面の前面に積み上げ設置して擁壁を構築する擁壁用コンクリートブロックに関するものである。
【背景技術】
【０００２】
従来、この種のブロックは、全体として直方体形状に構成され、積み上げ接面となる上面と底面が積み上げ基礎部に対して積み上げ傾斜角度に対応する角度に傾斜し、ブロック自体が後方に傾斜して積み上げられて行くため、積み上げ時において極めて不安定な形態となっていた。
【０００３】
これに対応して、例えば特許文献１記載のように、ブロックの両側に上面から底面に貫通する中空部を設け、積み上げ時に上段ブロックから下段ブロックに、その中空部を通じて鉄筋等の支持部材を挿通して積み上げたブロックの倒壊を防止する手段を講じたり、特許文献２記載のようにブロックの表面を法面勾配に対応して傾斜させ、積み上げ面を基礎地盤に対して水平に構成したブロックが開発されている。
【０００４】
更に、直方体形状のブロックは重量があり作業面でも不利なため、特許文献３や４記載のように表面盤と背面盤とを支持胴によって連結して軽量化する手段も講じられてきている。
【０００５】
また、ブロック擁壁の構築環境について、緑化や水生生物や水生植物の植栽に関連して例えば特許文献５記載のようにコンクリートブロックが一体化され一部に切り欠きを設定したブロックマットを設け、切り欠きがコンクリートブロックの厚さ方向に貫通して植栽用孔を構成させることにより、その植栽用孔に水生植物を植栽することも提案されている。
【先行技術文献】
【特許文献】
【０００６】
【特許文献１】特開平９−２７９５４４号公報
【特許文献２】特開２０００−３３６６７６号公報
【特許文献３】特開平９−３０２６８５号公報
【特許文献４】特開平９−３２８７６５号公報
【特許文献５】特開２０１１−１０６１８４号公報
【発明の概要】
【発明が解決しようとする課題】
【０００７】
しかしながら、構築されたブロック擁壁に緑化を維持する植栽を行うためには、ブロックに設ける植栽ポケット内に適切な水分量を保持しなければならず、水分量が少なければ植栽物は枯渇し、多ければ根腐れを生じると共に適切な緑化を維持することができない。
【０００８】
現在のブロック擁壁を構築するコンクリートブロックの構造は、ブロック内に適切な水分量を保持するまでには至っておらず、前記各特許文献発明はコンクリートブロックについての個別の問題点に対応するものの、それぞれ、更なる問題点を保持しているものである。
【０００９】
本願発明は、前記各問題点に対応すると共に、ブロック内に適切な水分量を保持して構築されたブロック擁壁に緑化を維持できるコンクリートブロックの提供を目的とするものである。
【課題を解決するための手段】
【００１０】
本発明は上記した課題に対応しようとするものであり、積み上げ面に底面に切れ込み凹陥部を設け、同底面を基礎地盤に対して水平に構成したブロックの中央部に上面から底面に貫通する中空部を設け、その左右両側に現地発生土等による植栽土を充填し、水抜き構造を備えた植生ポケットを形成するように構成した。
【００１１】
この構成により、中央部に形成した中空部と植生ポケット分だけブロックが軽量化され、積み上げ作業がやり易くなると共に、植生ポケットによる緑化植栽が可能となるものである。また、ブロックの両側面を左右に隣接するブロックの側面との接合により間詰めスペースを形成する凹陥形状に構成することにより、更なる軽量化を図れると共に間詰めコンクリートによる擁壁の強化を図ることができるものである。
【００１２】
植生ポケットは、植栽土を充填する植木鉢状の空間スペースから成り、上面開口部はブロック前面側と後面側が雨水を植栽土充填部に導入する傾斜面となっており、スペース底部に水抜き孔が設けられている。この構成により植生ポケット内に適切な水分量が保持される。
【００１３】
更に、ブロック本体の底面に形成された切れ込み凹陥部は、ブロック前面に形成された石垣面等を模した化粧面の溝等を通じて流下する雨水等を積み上げ接合面の内側に引き込み、植生ポケットの充填植栽土に供給すると共に、積み上げ接合面の内部呼吸を促進するようにした。
【発明の効果】
【００１４】
本発明は、以上のように構成したことにより、ブロックの軽量化が図られると共に安定した擁壁の造成が行われることに寄与する。また、ブロック内に適切な水分量を保持して構築されたブロック擁壁に緑化を維持できるものである。
【図面の簡単な説明】
【００１５】
【図１】本発明の実施例を示すもので、積み上げ前の単位ブロックの形状及び構造を示す単体コンクリートブロックの全体斜視図。
【図２】同じく、前面盤表面の石垣模様による雨水誘導溝と底面に形成された切れ込み凹陥部との関係及び植生ポケット、貫通中空部の形状を示す単位ブロックの前面から植生ポケットの形状を点線で透視状に示した正面図。
【図３】同じく、単位ブロック設定された上面から底面に貫通する中空部と、その左右両側に設定された植生ポケット及びブロック本体の左右両側に形成された隣接ブロック側面との接合により間詰めスペースを形成する凹陥形状の並列状况を示す単位ブロックの平面図。
【図４】同じく、植生ポケットの側面形状を示す図２のＡ−Ａ線による断面図。
【図５】同じく、上面から底面に貫通する間詰め中空部の側面形状を示す図２のＢ−Ｂ線による断面図。
【図６】同じく、本発明によるコンクリートブロックを側方に並列し、砕石を裏込めした施工状況を示す擁壁施工の全体平面図。
【図７】同じく、本発明によるコンクリートブロックを側方に並列して構成される植生ポケットの正面形状と上面から底面に貫通する中空部の正面形状、隣接するブロックの側面との接合により構成される間詰めスペースの状況及びブロック積み上げ面の底面に形成された切れ込み凹陥部の関係を透視状に示す施工擁壁の全体縦断面正面図。
【図８】同じく、本発明によるコンクリートブロックを上方に積み上げ、砕石を裏込めして形成される植生ポケットの側面形状と積み上げ面の底面に形成された切れ込み凹陥部の関係を示す施工擁壁の全体縦断面側面図。
【図９】同じく、本発明によるコンクリートブロックを上方に積み上げ、採石を裏込めして形成される上面から底面に貫通する間詰め中空部の側面形状を示す施工擁壁の全体縦断面側面図。
【図１０】同じく、本発明によるコンクリートブロックを芋積みにした状態における各単位ブロックの雨水導入溝と切れ込み凹陥部との関係を示す施工擁壁の全体正面図。
【図１１】同じく、本発明によるコンクリートブロックを布積みにした状態における各単位ブロックの雨水導入溝と切れ込み凹陥部との関係を示す施工擁壁の全体正面図。
【発明を実施するための形態】
【００１６】
以下、図面に基づいて本発明の実施の形態を説明する。１は単位ブロック本体で、積み上げ面１ａに底面に切れ込み凹陥部４を設け、同底面１ｂを基礎地盤に対して水平に構成したブロックの中央部に上面から底面に貫通する中空部２を設け、その左右両側に水抜き構造を備えた植生ポケット３、３を形成するように構成されている。
【００１７】
積み上げ面１ａには、その上面に積み上げられる上接ブロック１Ａの底面に形成された嵌合凹部に嵌入突合する嵌合突起１１が突設され、底面１ｂには下接ブロック１Ｂの上面に設定された嵌合突起を嵌入する嵌合凹部１２が設定され、積み上げ施工時に上下ブロックの嵌合突起と嵌合凹部が嵌合して嵌合接合するようになっている。また、ブロック本体の左右両側には隣接ブロック側面との接合により間詰めスペース５１を形成する凹陥形状５が形成されている。５ａはブロック背面から地山に挿入する水抜きパイプ挿通孔、５ｂは背面から地山に挿入する水抜きパイプ挿通孔５ａに対応してブロック前面盤に設けられる、挿入される水抜きパイプを受けるパイプ挿通孔形成破砕部である。
【００１８】
中空部２は、中間に適宜の絞りを入れた角柱状の間詰めコンクリート注入スペースに形成され、積み上げ時に間詰めコンクリートを注入して上下ブロックを一体化し、必要に応じて鉄筋を挿入して上下構造を強化するようになっている。
【００１９】
植生ポケット３は、現地発生土等による植栽土Ｓを充填する植木鉢状の空間スペースから成り、上面開口部はブロック前面側と後面側が雨水を植栽土充填部に導入する傾斜面３ａとなっており、スペース底部適宜位置にブロック本体１の背面に開口する水抜き孔３ｂが設けられている。
【００２０】
更に、ブロック本体の底面１ｂに形成された切れ込み凹陥部４は、ブロック前面に形成された石垣面等を模した化粧面の溝等を通じて流下する雨水等を積み上げ接合面の内側に引き込み、植生ポケット３の充填植栽土Ｓに供給すると共に、積み上げ接合面の内部呼吸を促進する。
【００２１】
また、ブロック前面に形成する石垣面等を模した化粧面は、石垣の目地を雨水等の誘導溝２１に構成し、切れ込み凹陥部４の開口上端部に通じるようにすれば、吹き付ける雨水等を積極的にブロック積み上げ接合面の内側に引き込むことができる。更に、同誘導溝２１は図２に示すように切れ込み凹陥部４に対して下降し、同凹陥部４の開口上端部に集中されるようにすることにより、前面盤化粧面に水溜り等を生ずることなく雨水等を円滑に切れ込み凹陥部４に導くことができる。
【００２２】
雨水等を導入する切れ込み凹陥部４の表面側上縁は縁取り傾斜面４ａとなっており、この傾斜面４ａと誘導溝２１がＴ字型に交合することによって流下してきた雨水等が凹陥部４の表面側上縁軒尖部に弾かれることなく、円滑に拡散させ、拡散した雨水等を更に切れ込み凹陥部４内に誘導するようになっている。
【００２３】
ブロックの積み上げは、先ず、転圧整地された基礎地盤Ｇ上に擁壁用ブロック積み上げ基礎ブロックを敷設し、その上面に１段目のブロックを並列し、砕石Ｍを裏込めして中空部２とブロック本体の左右両側に形成された凹陥形状５が隣接ブロック側面との接合により形成された間詰めスペース５１に間詰めコンクリートＫを注入充填し、植生ポケット３に植栽土Ｓを充填してから２段目のブロックを、図１０に示すような芋積み、若しくは図１１に示すような布積みに順次積み上げ施工していく。
【００２４】
上記のように、単位ブロックを並列しながら順次積み上げ施工することによって中空部２と隣接ブロック側面との接合により形成された間詰めスペース５１とに間詰めコンクリートＫが注入充填されて一体的に構築され、積み上げ上端に天端コンクリートを打設することによって擁壁として仕上げられる。
【００２５】
本発明は、以上のように構成したので、積み上げ作業時における単位ブロックが軽量化されて作業が軽減されると共に、中空部２と隣接ブロック側面との接合により形成された間詰めスペース５１への間詰めコンクリートＫの注入充填により、安定した構造の擁壁を築造することができる。
【００２６】
更に、切れ込み凹陥部４等から擁壁内に流入する雨水は、植生ポケット３開口部の傾斜面３ａによって植生ポケット３内の植栽土Ｓに供給され、過剰分は水抜き孔３ｂを通じて排出され、ブロック内に適切な水分量を保持して通気を確保してブロック擁壁に緑化を維持できたものである。
【産業上の利用可能性】
【００２７】
本発明に係る擁壁用コンクリートブロックは、上記のように積み上げ作業時における単位ブロックが軽量化されて作業が軽減されると共に、切れ込み凹陥部４等から擁壁内に流入する雨水を活用してブロック擁壁に緑化を維持できるものであるから、治山治水産業において土地の活用を積極的に押し進めることに利用することができる。
【符号の説明】
【００２８】
１      単位ブロック本体
１Ａ    上接ブロック
１Ｂ    下接ブロック
１ａ    ブロックの積み上げ上面
１ｂ    ブロックの積み上げ底面
１１    ブロック積み上げ上面の嵌合突起
１２    ブロック積み上げ底面の嵌合凹部
２      ブロックの上面から底面に貫通する中空部
２１    ブロック前面化粧面の石垣目地を利用した誘導溝
３      植生ポケット
３ａ    植生ポケットの植栽土充填開口部の傾斜面
３ｂ    植生ポケットの水抜き孔
４      ブロックの切れ込み凹陥部
４ａ    切れ込み凹陥部表面側上縁の縁取り傾斜面
５      ブロック両側の合成間詰めスペース形成凹陥形状
５ａ    ブロック背面から地山に挿入する水抜きパイプ挿通孔
５ｂ    ブロック前面盤の水抜きパイプ挿通孔形成破砕部
５１    ブロック両側の凹陥形状による間詰めスペース
Ｇ      基礎地盤
Ｋ      間詰めコンクリート
Ｍ      砕石
Ｓ      植栽土
【図１】
2017106233.tif 000003
【図２】
2017106233.tif 000004
【図３】
2017106233.tif 000005
【図４】
2017106233.tif 000006
【図５】
2017106233.tif 000007
【図６】
2017106233.tif 000008
【図７】
2017106233.tif 000009
【図８】
2017106233.tif 000010
【図９】
2017106233.tif 000011
【図１０】
2017106233.tif 000012
【図１１】
2017106233.tif 000013
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
積み上げ上面及び底面を基礎地盤に対して水平に構成したブロックの中央部に上面から底面に貫通する中空部を設け、その左右両側に植栽土を充填する植生ポケットを形成したブロックの底面に、下段積みブロックの植生ポケット上面に覆着する切れ込み凹陥部を設けると共に、ブロックの両側に隣接ブロックの凹陥形状と接合して合成間詰めスペースを形成する凹陥形状を形成したことを特徴とする擁壁用コンクリートブロック。
【請求項２】
植生ポケットの植栽土充填開口部のブロック表面側端縁部を、前表面からポケット内に向けて傾斜する傾斜面として構成した請求項１記載の擁壁用コンクリートブロック。
【請求項３】
ブロック前面を、石垣面等を模した化粧面とし、石垣の目地を雨水等の誘導溝に構成し、ブロック底面の切れ込み凹陥部によって形成される空隙スペースの開口上端部に通じるように構成した請求項１又は請求項２記載の擁壁用コンクリートブロック。
【請求項４】
雨水等の誘導溝に構成した石垣の目地を、ブロック底部の切れ込み凹陥部に対して下降し、同凹陥部の開口上端部に集中されるようにブロック前面の石垣面を形成するように構成した請求項３記載の擁壁用コンクリートブロック。
【請求項５】
ブロック底部切れ込み凹陥部の雨水等誘導溝が交合する表面側上縁を、内側に凹陥傾斜する縁取り傾斜面とした請求項１又は請求項２又は請求項３記載の擁壁用コンクリートブロック。
【請求項６】
植生ポケットの植栽土充填スペース内の適宜位置にブロック本体の背面、若しくは前面、或いはその双方に開口する水抜き孔を設定するように構成した請求項１又は請求項２又は請求項３又は請求項５記載の擁壁用コンクリートブロック。